(57)【要約】【課題】健康指導を受けるためユーザにかかる時間や労力を軽減して健康指導の普及率を高めることができ、かつ、各ユーザに即した適正な健康指導ができる面談設定システムを提供する。【解決手段】依頼者の依頼により、依頼者にかかる団体に属する者、あるいは当該者の扶養者を対象者として面談する面談設定システムにおいて、面談実施候補者認定部３４及び登録部３１が、面談実施候補者としての登録要求を受付け、登録を認めると判断された者を面談実施候補者として登録する。面談実施者選定部３１は、複数の面談実施候補者から、対象者の住所を含む所定の範囲内に居住する面談実施候補者を対象者の面談を実施する面談実施者に選定する。【選択図】  図３
2008165330.tif 000002
【特許請求の範囲】
【請求項１】
対象者との面談を設定する面談設定システムであって、
前記対象者との面談が実施できる面談実施候補者としての登録を要求する登録要求装置と、
前記登録要求装置による登録の要求を受付け、登録を認めると判断された者を面談の実施が可能な面談実施候補者として登録する面談実施候補者登録手段と、当該面談実施候補者登録手段によって登録された複数の面談実施候補者から、面談の対象となる対象者の面談を実施する面談実施者を選定する面談実施者選定手段と、を備える面談設定装置と、を含み、
前記面談実施者選定手段は、
前記対象者に関する条件と前記面談実施候補者に関する条件とに基づいて面談実施候補者から面談実施者を選定することを特徴とする面談設定システム。
【請求項２】
前記対象者は、依頼者の依頼によって面談を依頼された、当該依頼者にかかる団体に属する者、あるいは当該者の扶養者であることを特徴とする請求項１に記載の面談設定システム。
【請求項３】
前記面談実施者選定手段は、
前記対象者の住所に関する条件と前記面談実施候補者の居住地に関する条件とが合致するか否か判定し、前記対象者の住所を含む所定の範囲内に居住する面談実施候補者を面談実施者に選定することを特徴とする請求項１または請求項２に記載の面談設定システム。
【請求項４】
対象者との面談を設定する面談設定装置であって、
前記対象者との面談が実施できる面談実施候補者を登録する面談実施候補者登録手段と、
前記面談実施候補者登録手段によって登録された複数の面談実施候補者から、面談の対象となる対象者の面談を実施する面談実施者を選定する面談実施者選定手段と、を備え、
前記面談実施者選定手段は、
前記対象者に関する条件と前記面談実施候補者に関する条件とに基づいて面談実施候補者から面談実施者を選定することを特徴とする面談設定装置。
【請求項５】
前記対象者は、依頼者の依頼によって面談を依頼された、当該依頼者にかかる団体に属する者、あるいは当該者の扶養者であることを特徴とする請求項４に記載の面談設定装置。
【請求項６】
前記面談実施候補者登録手段は、
面談実施候補者としての登録を要求した者である要求者の氏名、性別、住所、資格のうちの少なくとも一つを含む情報を取得する取得手段と、
前記取得手段によって取得された情報に基づいて選択された要求者に対し、面談実施者に必要な教育情報を提供し、教育情報に対する要求者の応答にかかる情報を取得する教育手段と、を備え、
前記教育手段によって取得された要求者の応答にかかる情報に基づいて選定された要求者を面談実施候補者として登録することを特徴とする請求項４または請求項５に記載の面談設定装置。
【請求項７】
前記面談実施候補者登録手段は、
さらに、前記教育手段によって取得された要求者の応答にかかる情報に基づいて選定された要求者に対し、面談によって得られ、かつ一般に公開されていない情報を外部に漏らさないことを宣誓させる宣誓手段を備えることを特徴とする請求項４から請求項６のいずれか１項に記載の面談設定装置。
【請求項８】
前記面談実施者選定手段は、
前記対象者の住所に関する条件と前記面談実施候補者の居住地に関する条件とが合致するか否か判定し、前記対象者の住所を含む所定の範囲内に居住する面談実施候補者を面談実施者に選定することを特徴とする請求項４から請求項７のいずれか１項に記載の面談設定装置。
【請求項９】
前記面談実施者選定手段は、
前記対象者の住所と所定の距離以上離れている場所で居住する面談実施候補者、または前記対象者の住所を含む所定の範囲内であって、かつ前記対象者の住所を含む区、市、町、村、居住エリアのブロックの少なくとも１つが異なる面談実施候補者を、前記対象者を面談する面談実施者に選定することを特徴とする請求項４から請求項８のいずれか１項に記載の面談設定装置。
【請求項１０】
前記面談実施者選定手段は、
前記対象者の年齢と所定の年齢以上離れている年齢の面談実施候補者を、前記対象者を面談する面談実施者に選定することを特徴とする請求項４から請求項９のいずれか１項に記載の面談設定装置。
【請求項１１】
前記面談実施者選定手段は、
対象者によって予め設定されている面談実施者として好ましい条件にかかる選定情報を保存する面談実施者選定情報保存手段を備え、
前記面談実施者選定情報保存手段によって保存されている選定情報に基づいて、前記対象者の住所を含む所定の範囲内に居住している面談実施候補者の中から前記対象者を面談する面談実施者を選定することを特徴とする請求項４から請求項１０のいずれか１項に記載の面談設定装置。
【請求項１２】
前記面談実施者選定手段は、
前記対象者の住所を含む所定の範囲内に居住する面談実施候補者の氏名、性別、住所、資格のうちの少なくとも一つを含む情報を対象者に提供し、提供された面談実施候補者の情報に基づいて対象者が選択した面談実施候補者を面談実施者に選定することを特徴とする請求項４から請求項１１のいずれか１項に記載の面談設定装置。
【請求項１３】
対象者との面談を設定する面談設定方法をコンピュータに実行させるためのプログラムであって、
前記対象者との面談が実施できる面談実施候補者を登録する面談実施候補者登録ステップと、
前記面談実施候補者登録ステップにおいて登録された複数の面談実施候補者から、面談の対象となる対象者の面談を実施する面談実施者を選定する面談実施者選定ステップと、を含み、
前記面談実施者選定ステップにおいて、
前記対象者に関する条件と前記面談実施候補者に関する条件とに基づいて面談実施候補者から面談実施者が選定されることを特徴とする面談設定方法をコンピュータに実行させるためのプログラム。
【発明の詳細な説明】
【技術分野】
【０００１】
本発明は、面談設定システム、面談設定装置、面談設定方法をコンピュータに実行させるためのプログラムにかかり、特に面談の対象者の自宅に向うのに好適な面談実施者に委託して対象者を面談する面談設定システム、面談設定装置、面談設定方法をコンピュータに実行させるためのプログラムに関する。
【背景技術】
【０００２】
現在、日本においては、食生活や運動不足等に起因する生活習慣病への関心が高まっていて、この予防についても注目がされている。生活習慣病の予防は、個人の自己管理に負うところが大きい。このため、医師や栄養士といった専門知識を有する者に個人が自己の生活の状態を報告し、医師等が個人に対して生活習慣病を予防するための指導をするという機会も設定されるようになってきている。
【０００３】
個人が生活習慣病を予防するための指導を得るための手段に、ネットワークを利用して生活習慣病にならないための指導（健康指導）を各個人にするシステムがある。このようなシステムの従来技術としては、例えば、特許文献１が挙げられる。従来技術のシステムでは、ユーザが自己の情報を、ネットワークを介してシステムの管理者に提供し、提供された情報に基づいて分析サーバが自動的に健康指導情報を作成する。作成された健康指導情報は、ネットワークを介してユーザに送信される。
【０００４】
このような従来技術によれば、ユーザは、任意の場所にいながら健康指導を受けることができるため、指導を受ける場合にユーザにかかる時間や労力を軽減することができる。したがって、ユーザが煩わしさから生活習慣病を予防するための指導を受ける機会を逃がす可能性を低減し、健康指導の普及率を高めることができる。
【特許文献１】特開２００２−６３２７９号公報
【発明の開示】
【発明が解決しようとする課題】
【０００５】
しかしながら、上記した従来技術は、予め設定されている項目についての情報に基づいて自動的に健康指導情報を作成している。このため、人間がユーザと対面し、ユーザの状態を観察しながら質疑応答できる面談ほどに個々のユーザに即した指導をすることは困難であると言わざるを得ない。
また、この点を解消するため、面談の資格を持つ管理栄養士等であってユーザの元に派遣可能である者に面談を委託することが考えられる。しかし、管理栄養士等を地理的条件にのみ基づいて選択し、ユーザの面談を実施すれば、管理栄養士とユーザが偶然知り合いであるという可能性が生じる。
【０００６】
管理栄養士と面識がある場合、ユーザは、一般的に自身の健康状態や生活習慣を知り合いに知られることに抵抗を感じるものと思われる。また、管理栄養士が知り合いの個人情報を知った場合、個人情報を共通の知人等に漏らす可能性が、全く面識のない者の個人情報を漏洩する可能性よりも高くなると考えられる。
このような事情により、ユーザは、管理栄養士等の派遣による面談を受けることに抵抗を感じて拒否し、生活習慣病を予防するための指導を受ける機会を逃がす可能性がある。
【０００７】
本発明は、以上の点に鑑みてなされたものであり、健康指導を受けるためユーザにかかる時間や労力、さらに抵抗感を軽減して健康指導の普及率を高めることができ、かつ、各ユーザに即した適正な健康指導ができる面談設定システム、面談設定装置、面談設定方法をコンピュータに実行させるためのプログラムを提供することを目的とする。
【課題を解決するための手段】
【０００８】
以上の課題を解決するため、請求項１に記載の本発明の面談設定システムは、対象者と面談する面談設定システムであって、前記対象者との面談が実施できる面談実施候補者としての登録を要求する登録要求装置と、前記登録要求装置による登録の要求を受付け、登録を認めると判断された者を面談の実施が可能な面談実施候補者として登録する面談実施候補者登録手段と、当該面談実施候補者登録手段によって登録された複数の面談実施候補者から、面談の対象となる対象者の面談を実施する面談実施者を選定する面談実施者選定手段と、を備える面談設定装置と、を含み、前記面談実施者選定手段は、前記対象者に関する条件と前記面談実施候補者に関する条件とに基づいて面談実施候補者から面談実施者を選定することを特徴とする。
【０００９】
本発明の請求項２にかかる面談設定システムは、請求項１に記載の発明において、前記対象者が、依頼者の依頼により、当該依頼者にかかる団体に属する者、あるいは当該者の扶養者であることを特徴とする。
本発明の請求項３にかかる面談設定システムは、請求項１または２に記載の発明において、前記面談実施者選定手段が、前記対象者の住所に関する条件と前記面談実施候補者の居住地に関する条件とが合致するか否か判定し、前記対象者の住所を含む所定の範囲内に居住する面談実施候補者を面談実施者に選定することを特徴とする。
【００１０】
本発明の請求項４にかかる面談設定装置は、対象者と面談する面談設定装置であって、前記対象者との面談が実施できる面談実施候補者を登録する面談実施候補者登録手段と、前記面談実施候補者登録手段によって登録された複数の面談実施候補者から、面談の対象となる対象者の面談を実施する面談実施者を選定する面談実施者選定手段と、を備え、前記面談実施者選定手段が、前記対象者に関する条件と前記面談実施候補者に関する条件とに基づいて面談実施候補者から面談実施者を選定することを特徴とする。
本発明の請求項５にかかる面談設定装置は、請求項４に記載の発明において、前記対象者が、依頼者の依頼により、当該依頼者にかかる団体に属する者、あるいは当該者の扶養者であることを特徴とする。
【００１１】
本発明の請求項６にかかる面談設定装置は、請求項４または請求項５に記載の発明において、前記面談実施候補者登録手段が、面談実施候補者としての登録を要求した者である要求者の氏名、性別、住所、資格のうちの少なくとも一つを含む情報を取得する取得手段と、前記取得手段によって取得された情報に基づいて選択された要求者に対し、面談実施者に必要な教育情報を提供し、教育情報に対する要求者の応答にかかる情報を取得する教育手段と、を備え、前記教育手段によって取得された要求者の応答にかかる情報に基づいて選定された要求者を面談実施候補者として登録することを特徴とする。
【００１２】
本発明の請求項７にかかる面談設定装置は、請求項４から請求項６のいずれか１項に記載の発明において、前記面談実施候補者登録手段が、さらに、前記教育手段によって取得された要求者の応答にかかる情報に基づいて選定された要求者に対し、面談によって得られ、かつ一般に公開されていない情報を外部に漏らさないことを宣誓させる宣誓手段を備えることを特徴とする。
【００１３】
本発明の請求項８にかかる面談設定装置は、請求項４から請求項７のいずれか１項に記載の発明において、前記面談実施者選定手段が前記対象者の住所に関する条件と前記面談実施候補者の居住地に関する条件とが合致するか否か判定し、前記対象者の住所を含む所定の範囲内に居住する面談実施候補者を面談実施者に選定することを特徴とする。
本発明の請求項９にかかる面談設定装置は、請求項４から請求項８のいずれか１項に記載の発明において、前記面談実施者選定手段が、前記対象者の住所と所定の距離以上離れている場所で居住する面談実施候補者、または前記対象者の住所を含む所定の範囲内であって、かつ前記対象者の住所を含む区、市、町、村、居住エリアのブロックの少なくとも１つが異なる面談実施候補者を、前記対象者を面談する面談実施者に選定することを特徴とする。
【００１４】
本発明の請求項１０にかかる面談設定装置は、請求項４から請求項９のいずれか１項に記載の発明において、前記面談実施者選定手段が、前記対象者の年齢と所定の年齢以上離れている年齢の面談実施候補者を、前記対象者を面談する面談実施者に選定することを特徴とする。
本発明の請求項１１にかかる面談設定装置は、請求項４から請求項１０のいずれか１項に記載の発明において、前記面談実施者選定手段が、対象者によって予め設定されている面談実施者として好ましい条件にかかる選定情報を保存する面談実施者選定情報保存手段を備え、前記面談実施者選定情報保存手段によって保存されている選定情報に基づいて、前記対象者の住所を含む所定の範囲内に居住している面談実施候補者の中から前記対象者を面談する面談実施者を選定することを特徴とする。
【００１５】
本発明の請求項１２にかかる面談設定装置は、請求項４から請求項１１のいずれか１項に記載の発明において、前記面談実施者選定手段が、前記対象者の住所を含む所定の範囲内に居住する面談実施候補者の氏名、性別、住所、資格のうちの少なくとも一つを含む情報を対象者に提供し、提供された面談実施候補者の情報に基づいて対象者が選択した面談実施候補者を面談実施者に選定することを特徴とする。
【００１６】
本発明の請求項１３にかかる面談設定方法をコンピュータに実行させるためのプログラムは、前記対象者との面談が実施できる面談実施候補者を登録する面談実施候補者登録ステップと、前記面談実施候補者登録ステップにおいて登録された複数の面談実施候補者から、面談の対象となる対象者の面談を実施する面談実施者を選定する面談実施者選定ステップと、を含み、前記面談実施者選定ステップにおいて、前記対象者に関する条件と前記面談実施候補者に関する条件とに基づいて面談実施候補者から面談実施者が選定されることを特徴とする。
【発明の効果】
【００１７】
請求項１に記載の発明によれば、予め面談実施候補者を登録しておき、対象者に関する条件と面談実施候補者に関する条件とに基づいて、面談実施候補者の中から対象者の面談にあたる面談実施者を選定することができる。このため、健康指導を受けるためユーザにかかる時間や労力を軽減することに適した面談実施者を選定し、健康指導の普及率を高めることができる。また、面談実施者が対象者と直接面談して健康指導できるので、各ユーザに即した適正な健康指導ができる面談設定システムを提供することができる。
【００１８】
請求項２に記載の発明によれば、依頼者の依頼によって面談を依頼された、当該依頼者にかかる団体に属する者、あるいは当該者の扶養者に対して面談をすることができる。このため、依頼者の団体に属する者ばかりでなく、団体の施設に通常足を運ぶことがない扶養者についても条件に適した面談実施者による面談を実施することができる。
請求項３の発明によれば、面談実施候補者の中から対象者の住所に比較的近い場所に居住する面談実施者を選定することができるため、選定された面談実施者が容易に対象者の住所に行って健康指導をすることができる。このため、健康指導を受けるためユーザにかかる時間や労力を軽減して健康指導の普及率を高めることができる。また、面談実施者が対象者と直接面談して健康指導できるので、各ユーザに即した適正な健康指導ができる面談設定装置を提供することができる。
【００１９】
請求項４の発明によれば、対象者に関する条件と面談実施候補者に関する条件とに基づいて、この対象者の面談にあたる面談実施者を選定することができる。このため、健康指導を受けるためユーザにかかる時間や労力を軽減することに適した面談実施者を選定し、健康指導の普及率を高めることができる。また、面談実施者が対象者と直接面談して健康指導できるので、各ユーザに即した適正な健康指導ができる面談設定装置を提供することができる。
【００２０】
請求項５に記載の発明によれば、依頼者の依頼によって面談を依頼された、当該依頼者にかかる団体に属する者、あるいは当該者の扶養者に対して面談をすることができる。このため、依頼者の団体に属する者ばかりでなく、団体の施設に通常足を運ぶことがない扶養者についても条件に適した面談実施者による面談を実施することができる。
請求項６に記載の発明によれば、資格を有するのみならず、スキルの高い面談実施候補者を養成して対象者の健康指導にあたらせることができる。このため、対象者に対してより適切な健康指導ができ、生活習慣の改善効果を高めることができる。
【００２１】
請求項７の発明によれば、面談実施者に面談によって知り得た情報を守秘する義務を課すことができ、面談によって対象者の個人情報が漏洩する可能性を低減することができる。
請求項８の発明によれば、面談実施候補者の中から対象者の住所に比較的近い場所に居住する面談実施者を選定することができるため、選定された面談実施者が容易に対象者の住所に行って健康指導をすることができる。このため、健康指導を受けるためユーザにかかる時間や労力を軽減して健康指導の普及率を高めることができる。また、面談実施者が対象者と直接面談して健康指導できるので、各ユーザに即した適正な健康指導ができる面談設定装置を提供することができる。
【００２２】
請求項９、請求項１０の発明によれば、対象者と面識がない可能性の高い面談実施者を選択することができる。このため、対象者が面談実施者による面談に抵抗を感じる可能性を低減することができる。また、対象者と面識がない可能性が高い面談実施者を選定することから、面談によって得た対象者に関する情報を面談実施者が漏洩する可能性も低減することができる。
請求項１１、請求項１２の発明によれば、対象者個々が好ましいと判断する面談実施者を選択することができる。このため、対象者が面談実施者による面談に抵抗を感じる可能性を低減することができる。
【００２３】
請求項１３の発明によれば、対象者に関する条件と面談実施候補者に関する条件とに基づいて、この対象者の面談にあたる面談実施者を選定することができる。このため、健康指導を受けるためユーザにかかる時間や労力を軽減することに適した面談実施者を選定し、健康指導の普及率を高めることができる。また、面談実施者が対象者と直接面談して健康指導できるので、各ユーザに即した適正な健康指導ができる面談設定方法をコンピュータに実行させるためのプログラムを提供することができる。
【発明を実施するための最良の形態】
【００２４】
以下、図を参照して本発明にかかる面談設定システム、面談設定装置、面談設定方法をコンピュータに実行させるためのプログラムの一実施形態を説明する。
（システム構成）
図１は、本実施形態の面談設定システムを説明するための図である。面談設定システムは、依頼者の依頼により、この依頼者にかかる団体に属する者、あるいは当該者の扶養者を対象者として面談する面談設定システムである。なお、本実施形態では、依頼者を医療保険者とする。医療保険者とは、企業の健康保険組合、国民健保組合、共済健保組合などの総称であって、従業者や国民の健康を関するための団体を指す。
【００２５】
団体に属する者とは、健康保険組合や国民健保組合の組合員をいい、以降被保険者と記す。また、その扶養者とは、組合員の扶養者である。
さらに、本実施形態では、面談設定システムの名称を「栄養士ネット」とし、以降面談設定システムを「栄養士ネット」とも記すものとする。「栄養士ネット」を運営するシステム管理者は、例えば「健やか家族応援団」といった名称の保険事業者であってもよい。
【００２６】
本実施形態の「栄養士ネット」は、図１に示したサーバ装置２と、サーバ装置２とネットワークＮを介して接続する通信端末装置５ａ、５ｂ、５ｃ（５ａ、５ｂ、５ｃのいずれであってもよい場合には通信端末装置５と記す）とから構成される。
また、本実施形態では、サーバ装置２を提供して「栄養士ネット」を管理するシステム管理者によって操作される通信端末装置３もネットワークＮと接続し、サーバ装置２において収集、処理されている情報をシステム管理者が閲覧、監視することができる。さらに、医療保険者の通信端末装置７もネットワークＮに接続し、面談設定の依頼等をネットワークＮを介して実行している。
【００２７】
通信端末装置５ａ、５ｂ、５ｃは、面談実施候補者４ａ、４ｂ、４ｃ（４ａ、４ｂ、４ｃのいずれであってもよい場合には面談実施候補者４と記す）の各々が所有する装置である。面談実施候補者４とは、管理栄養士、保健士、医師といった国家資格を有する者であって、かつシステム管理者による審査を受けて登録された者をいう。図示した例では、面談実施候補者４ａ、４ｂは管理栄養士、４ｃは医師の資格を有している。
面談実施候補者４は、システム管理者の指示を受けて面談の対象となる者（対象者）６ａ〜６ｈ（６ａ〜６ｈのいずれであってもよい場合には対象者６と記す）の自宅等に出向いて面談をし、面談の結果をシステム管理者に報告する。
【００２８】
本実施形態の面談の対象者とは、被保険者と、その扶養者であって、予め行われている健康診断において生活習慣を改善するのに支援が必要と判定された者をいうとする。また、本実施形態では、面談実施候補者４の中から選択された面談実施者が対象者６に対して生活習慣に起因して起こるメタボリックシンドローム等の症状を改善することを目的にして対象者に面談し、健康指導をするものとする。
なお、面談の目的は、メタボリックシンドロームの改善ばかりでなく、骨粗しょう症の改善や肥満の防止等他の目的であってもよい。
【００２９】
また、本実施形態の「栄養士ネット」では、面談実施候補者４の登録は、管理栄養士や医師による登録要求によって行われる。登録要求は、所定の用紙に必要事項を記入して提出する、電話、ＦＡＸのいずれによっても可能であるが、管理栄養士や医師が通信端末装置５ａ、５ｂ、５ｃ（５ａ、５ｂ、５ｃのいずれであってもよい場合には通信端末装置５と記す）を介してサーバ装置２に対象者と面談する面談実施候補者４としての登録を要求する場合、通信端末装置５は、「栄養士ネット」の登録要求装置として機能する。登録を要求した管理栄養士や医師を要求者とも記す。
【００３０】
また、通信端末装置５は、要求者所有の通信端末装置に限定されるものでなく、区役所や市役所といった自治体の建物、病院、保健所といった施設に設けられた登録申し込み用の通信端末装置であってもよい。
また、本実施形態の「栄養士ネット」では、サーバ装置２が、通信端末装置５等による登録の要求を受付け、登録を認めると判断された者を面談実施候補者４として登録する。そして、登録された複数の面談実施候補者４から、対象者に面談をする面談実施者を選定する。このようなサーバ装置２は、本実施形態の面談設定装置として機能する。
【００３１】
本実施形態の「栄養士ネット」では、サーバ装置２が、面談実施者の選定において、対象者の住所を含む所定の範囲内に居住する面談実施候補者４を選定している。このように構成することにより、本実施形態の「栄養士ネット」は、対象者の住所に比較的近い位置に住所または居所を有し、対象者のもとに容易に向かうことができる面談実施候補者４を、この対象者の面談実施者に選定することができる。
【００３２】
なお、面談実施候補者４は、対象者の住所を含む所定の範囲に居住していればよく、この範囲に住所を有する者に限定されるものではない。例えば、面談実施候補者４がこの範囲に管理栄養士として常駐しているような場合にも常駐場所と対象者６の住所とが近ければ容易に訪問することが可能であるからである。
以上述べた「栄養士ネット」によれば、対象者は、自宅、あるいは自宅近くの所望の場所にいながら管理栄養士等の健康指導を受けることができる。このため、対象者が健康指導を受けるために外出することにかかる時間や費用、煩わしさによって健康指導の機会を放棄する可能性を低減することができ、対象者の生活習慣の改善に効果を奏する。
【００３３】
・サーバ装置
次に、図１に示したサーバ装置２の構成について説明する。図２は、サーバ装置２のハードウェア構成を説明するための図である。図３は、サーバ装置２の機能ブロック図である。
図２に示したように、サーバ装置２は、ネットワークＮを使って通信する通信部２１、通信部２１を介して収集された情報を使ってサーバ装置２全体を統括的に制御するＣＰＵ（Central Processing Unit）２２、メモリ２３を備えている。メモリ２３は、ＣＰＵ２２の制御に使用されるソフトウェアやデータを保存していて、データには面談実施候補者４に関する面談実施候補者情報２４と対象者６に関する対象者情報２５とが含まれる。また、メモリ２３の一部は、ＣＰＵ２２の演算処理のワーキングメモリにも使用される。
また、ＣＰＵ２２には通信端末装置３が直接あるいはネットワークＮを介して接続されていて、システム管理者はサーバ装置２にユーザインターフェイスを使って入力したり、処理の内容をディスプレイ等に表示させたりすることができる。
【００３４】
また、図３に示したように、サーバ装置２は、通信部２１を制御する通信制御部３９、通信制御部３９を介して取得された情報に基づいて登録を要求した管理栄養士等の要求者のうち面談実施候補者４の認定をする面談実施候補者認定部３４、認定された面談実施候補者４だけを面談実施候補者情報２４に含まれる面談実施候補者ＤＢに登録する登録部３３を備えている。
なお、面談実施候補者情報２４には、要求者の情報を保存する要求者ＤＢ３６、要求者を教育するための教材に関するデータ、要求者の習熟度に関する情報等のデータを保存する教育用ＤＢ３７が含まれている。
【００３５】
また、サーバ装置２は、対象者６に関するデータを保存するための対象者ＤＢ３８、対象者ＤＢ３８に保存されている対象６のデータから住所を抽出し、抽出された住所を含む所定の範囲内に居住する面談実施候補者４を面談実施候補者ＤＢ３５から面談実施候補者４を抽出して対象者の面談実施者に割当てる面談実施者選定部３１を備えている。
ただし、本実施形態では、対象者６の住所と面談実施候補者４との住所、居所のみを考慮して面談実施者を選定するものではなく、対象者６、面談実施候補者４それぞれに関する条件に基づいて面談実施者を選定するものとする。
【００３６】
また、本実施形態では、先に対象者６の住所と面談実施候補者４との住所、居所を考慮して面談実施候補者から一部の面談実施候補者を抽出し、抽出された面談実施候補者から他の条件に基づいて面談実施者を選定するものとした。住所、居所の条件以外の条件に基づいて面談実施者を選定する処理を本実施形態では条件マッチングと記し、条件マッチングは条件マッチング部３２において実行されるものとする。
【００３７】
ただし、本実施形態は、住所、居所に基づいて抽出された面談実施候補者から他の条件に基づいて面談実施者を選定する構成に限定されるものではない。住所、居所の条件と他の条件のいずれか一つに基づいて面談実施者を選定してもよいし、いくつかの条件を考慮して面談実施者を選定してもよい。さらに、住所、居所以外の条件に基づいて面談実施候補者を抽出し、抽出された面談実施候補者の中から面談実施者を選定してもよい。
【００３８】
以上述べた構成において、登録部３３が本実施形態の面談実施候補者登録手段として機能する。また、条件マッチング部３２を含む面談実施者選定部３１が、面談実施候補者４のうち、対象者、例えば対象者６ａに対して面談をする面談実施者を選定する面談実施者選定手段として機能する。以下、面談実施候補者４の養成及び登録をする登録部３３、面談実施者を選定する面談実施者選定部３１の動作についてそれぞれ説明するものとする。
【００３９】
（登録部）
先ず、登録部３３の動作について説明する。面談実施候補者４の登録を要求する場合、要求者は、サーバ装置２に対して自己の氏名、性別、住所、資格のうちの少なくとも一つを含む情報を送信する。サーバ装置２は、通信部２１及び通信制御部３９を介して要求者の氏名、性別、住所、資格のうちの少なくとも一つを含む情報を取得する。取得された情報は、要求者に関するデータとして要求者ＤＢ３６に保存される。
【００４０】
面談実施候補者認定部３４は、要求者ＤＢ３６に保存されている要求者のデータに基づいて、要求者の資格、必要であれば年齢や住所等を審査する。この審査により、システム管理者が希望する年齢の範囲の年齢の要求者、性別の要求者、「栄養士ネット」のサービス提供対象の地域に居住する要求者が選択される。
次に、面談実施候補者認定部３４は、選択された要求者に対し、面談実施候補者４に必要な教育情報を提供する。面談実施候補者４に必要な教育情報とは、対象者のウェスト周囲径や高トリグリセライド血症値、低ＨＤコレステロール血症値に応じた指導の内容等の情報である。このような情報は、教育用ＤＢ３７にデータとして保存されている。
【００４１】
また、面談実施候補者認定部３４は、提供された教育情報に対する要求者の応答にかかる情報を通信部２１や通信制御部３９を介して取得する。そして、応答にかかる情報から要求者の習熟度を判定し、面談実施候補者４と認定できる習熟度に達した要求者を選定する。
さらに、本実施形態は、選定された要求者（面談実施者）に対し、登録部３３が、面談によって得られ、かつ一般に公開されていない情報を外部に漏らさないことを宣誓させる。具体的には、例えば教育用ＤＢ３７に保存されているＮＤＡ（Non-Disclosure Agreement）の契約書を要求者に電子データとして送付し、電子署名させることによって宣誓が実現する。
【００４２】
以上のように構成することにより、本実施形態は、面談実施候補者４に面談で知り得た情報の守秘義務を課すことができる。このため、「栄養士ネット」における個人情報の漏洩を防ぐことができ、「栄養士ネット」による健康指導の普及を促し、ひいては国民の生活習慣の改善に寄与することができる。
なお、このような構成において、通信部２１、通信制御部３９は取得手段、面談実施候補者認定部３４は教育手段として機能する。また、登録部３３は宣誓手段としても機能する。
【００４３】
図４は、以上述べた登録部３３において実行される面談設定の方法をコンピュータに実行させるためのプログラムを説明するためのフローチャートである。
図示したように、本実施形態の面談実施候補者を登録をするプログラムは、「栄養士ネット」への登録の申し込み（要求）がなされた時点で開始される（Ｓ４１：Ｙｅｓ）。申し込みがなされれば、申し込みと共に送信されてきた要求者の氏名、性別、年齢、住所、資格といった情報が要求者ＤＢ３６に登録、保存される（Ｓ４２）。
【００４４】
面談実施候補者認定部３４は、ＤＢ３６に登録されている要求者に教育用ＤＢ３７に保存されている教育用データを提供する（Ｓ４３）。そして、所定の期間の提供の後、提供したデータを要求者がどの程度理解しているかを判定するための面談試験を実行する（Ｓ４４）。面談試験は、サーバ装置２から要求者の通信端末装置５に問題を送付して試験結果のデータを収集することによって実行してもよい。
【００４５】
また、試験は、要求者を会場に集めて行う筆記試験であってもよいし、模擬的に面談をする実技試験であってもよい。ただし、いずれの場合も試験結果のデータは登録部３３において収集されるものとする。
面談実施候補者認定部３４は、試験の結果から要求者が面談実施候補者４と認定可能であるか否かを判断する（Ｓ４５）。認定可能でないと判断された場合（Ｓ４５：Ｎｏ）、要求者は面談実施候補者４として登録されることがなく、登録部３３においての処理が終了する。一方、認定可能であると判断された場合（Ｓ４５：Ｙｅｓ）、登録部３３が要求者にＮＤＡ契約の契約書を送付し（Ｓ４６）、電子署名させる。ＮＤＡ契約の成立後、要求者は面談実施候補者４として面談実施候補者ＤＢ３５に登録される（Ｓ４７）。
【００４６】
なお、ＮＤＡ契約も、図４のようにネットワークＮを使って行うことに限定されるものでなく、書面によって行うものであってもよい。ただし、ＮＤＡ契約が成立していることを示す情報は登録部３３で収集されて面談実施候補者ＤＢに保存されるものとする。なお、書面による契約の情報の登録部３３における収集は、システム管理者が通信端末装置３等を操作してサーバ装置２の登録部３３にスキャナ等で読取った契約書面の情報を入力することによっても実現できる。
【００４７】
（面談実施者選定部）
面談実施者選定部３１は、医療保険者が対象者６ａを指定して面談の依頼をシステム管理者に依頼することによって面談実施者の選定の動作を開始する。なお、医療保険者による面談の依頼は、医療保険者が被保険者及び被保険者の扶養者を予め健康診断し、診断の結果からメタボリックシンドロームの傾向があると診断されたケースなど面談が必要とされた者を対象にして行われる。
【００４８】
また、多くの場合、企業健保組合の被保険者は職場や職場から近い場所で健康指導を受けることができる。このため、「栄養士ネット」の健康指導の対象となる者の多くは、企業の健康保険組合の被保険者の扶養者、国民健康保険等の企業に属していない被保険者及びその扶養者である。
依頼により、面談実施者選定部３１は、通信部２１及び通信制御部３９を介して面談の依頼と、例えば対象者６ａの少なくとも住所を含む情報を取得する。そして、対象者６ａの住所を含む所定の範囲に居住する、例えば面談実施候補者４ａを面談実施候補者ＤＢ３５から抽出する。
【００４９】
所定の範囲とは、例えば、対象者の自宅を中心にし、３０分以内に面談実施候補者４ａが中心に到着できる距離を半径とする円形の範囲をいう。また、面談実施候補者４ａの登録の際に面談実施候補者４ａが主に使用する徒歩、自転車、乗用車といった移動手段をも予め登録しておき、登録された移動手段によって移動した場合の時間を基準にして所定の範囲を設定することもできる。
また、所定の範囲に居住する面談実施者の選定は、次のようにして実行できる。すなわち、本実施形態では、面談設定のサービスを提供する範囲の地図情報がメモリ２３に予め保存されている。面談実施者選定部３１は、対象者ＤＢ３８から対象者の住所を中心にした所定の範囲にある地図情報を抽出する。
【００５０】
そして、面談実施候補者ＤＢ３５に保存されている面談実施候補者６の住居を抽出された地図情報と対照する。面談実施者選定部３１は、地図情報に含まれる市町村名、あるいは何丁目、何番地といった居住エリアのブロックを識別する情報に基づいて、所定の範囲に住所または居所を有する面談実施候補者６を面談実施者に選定することができる。
なお、所定の範囲に住所または居所を有する面談実施候補者６が複数いた場合、このうちから、例えば、対象者の住所に住所または居所が最も近い者を面談実施者に選定してもよい。あるいは、面談の依頼数が少ない面談実施候補者を優先して面談実施者としてもよい。
【００５１】
さらに、本実施形態は、対象者の住所を含む所定の範囲内に面談実施候補者が複数いる場合、地図情報に基づいて、対象者の住所を含む区、市、町、村、居住エリアのブロックの少なくとも１つが異なる面談実施候補者を面談実施者に選定してもよい。このようにした場合、対象者と面談実施者との間に面識がある可能性がいっそう低減される。したがって、対象者にとって抵抗無く面談の実施を受けることができる者が面談実施者に選任される可能性を高めることができる。
なお、面談実施候補者４ａが対象者６ａの住所から所定の範囲に居住するものであっても、面談実施候補者４の住所、居所と対象者６ａの住所とを直接結ぶ道や交通手段がないといった事情がある場合、この事象を考慮して所定の範囲が設定されることはもちろんである。
【００５２】
（条件マッチング）
条件マッチング部３２によって行われるマッチング処理は、対象者６の面談実施者として互いに面識のない者を選定するための処理である。すなわち、一般的な人間の感情として、近所に居住している、あるいは子供同士が同級生であるといった理由により面識のある他人に自己の個人情報を知られることは抵抗があると考えられる。このような理由によって「栄養士ネット」による健康指導の機会が放棄されることを防ぐため、本実施形態は、対象者６の住所を含む所定の範囲に居住する面談実施候補者４をさらに対象者と条件マッチングして面談実施者を決定することができる。
【００５３】
条件マッチングの手法は２つあって、１つは面談実施候補者４の情報を対象者６に提供し、対象者６が面談を希望する面談実施者を選択するものである。この手法で条件マッチングする場合、条件マッチング部３２は、対象者６の住所を含む所定の範囲内に居住する面談実施候補者４の氏名、性別、住所、資格のうちの少なくとも一つを含む情報を対象者に提供し、提供された面談実施候補者４の情報に基づいて対象者が選択した面談実施候補者４を面談実施者に選定する。
【００５４】
他方は、対象者６と面談実施候補者４の住所や年齢等に基づいて自動的に対象者と面識のある可能性の高い面談実施候補者４を候補から除くものである。この手法を条件マッチングする場合、条件マッチング部３２は、面談実施候補者４のうちの対象者６の住所と所定の距離以上離れている場所に居住する面談実施候補者４を面談実施者に選定する。
このように構成すれば、対象者６と面談実施者とが近所に住んでいるために面識がある可能性を低減することができる。一般的に対象者６は、面識のある面談実施者に自身の健康状態等の個人情報を知られることに抵抗を感じることが多いためである。なお、この場合、所定の距離は、当然のことながら、面談実施候補者４の選定の基準となった所定の範囲の直径よりも短い。
【００５５】
また、条件マッチング部３２は、面談実施候補者４のうちの対象者６の年齢と所定の年齢以上離れている年齢の面談実施候補者４を面談実施者に選定することができる。この構成は、個人的な交友は一般的に年齢の近い者同士において生じやすいことに着目してなされたものである。このようにすれば、対象者６と面談実施者とが過去同じ学校等に同時期に在学していた、あるいは互いの子供が同じ学校に通学しているといった可能性を低減することができる。
【００５６】
なお、「栄養士ネット」は、以上述べた構成によって条件マッチングするものに限定されるものではない。他の手法としては、例えば、医療保険者が面談を依頼する場合に対象者６によって予め設定されている面談実施者として好ましい条件にかかる選定情報を送信し、選定情報を対象者ＤＢ３８に保存しておくことができる。
このように構成すれば、条件マッチング部３２は、対象者ＤＢ３８に保存されている選定情報に基づいて、面談実施候補者４の中から面談実施者を選定することができる。なお、この際、対象者ＤＢ３８は、面談実施者選定情報保存手段として機能する。
【００５７】
図５は、以上述べた面談実施者選定部３１で実行される、面談実施者選定のための処理を説明するためのフローチャートである。図示したフローチャートでは、面談実施者選定部３１に対し、医療保険者から例えば対象者６ａについて面談の申し込みがあったものとする（Ｓ５１：Ｙｅｓ）。面談実施者選定部３１は、対象者６ａの住所を検出し、住所を中心にして例えば半径３ｋｍ以内に登録されている面談実施候補者４がいるか否か判断する（Ｓ５２）。
【００５８】
ステップＳ５２の判断の結果、この範囲に居住する面談実施候補者４がいる場合、該当する面談実施候補者４を抽出する。該当者が複数いる場合、面談実施候補者４が複数抽出される。
次に、条件マッチング部３２は、条件マッチングサブルーチンによって面談実施候補者４から対象者６ａの面談をする面談実施者を決定する（Ｓ５３）。
【００５９】
図６は、提供された面談実施候補者４から対象者６ａが面談を希望する面談実施者を選択する条件マッチングをする場合、対象者６ａに提供される面談実施候補者４のデータを例示した図である。図６に示したデータは、４名の面談実施候補者４について、その氏名、生年、性別、住所、資格を示している。
また、図６に示したデータは、チェック欄を含み、対象者６ａが面談を希望する面談実施候補者４を選択できるようになっている。対象者６ａは、面談実施候補者４の生年や住所から面談実施候補者４と自身とが面識を持つ可能性を判断することができる。さらに、氏名から面談実施候補者４と面識があるか否かをも判断することができる。図示した例では、対象者６ａは、Ｎｏ３の「夏田厚」を選択している。
【００６０】
なお、面談実施候補者４の個人情報保護の要請の程度により、面談実施候補者４の情報は対象者６ａが面談をするのに好ましいか否かを判断できる最小限にとどめることも考えられる。図６に示した例では、面談実施候補者４の生年についてのみ示し、月日までは公開されていない。また、住所についても全てを示すことはされていない。
以上のようにして対象者６ａが「夏田厚」を選択すると、面談実施者選定部３１は、「夏田厚」が面談実施者に決定したことを示す情報を通信制御部３９等によって医療保険者の通信端末装置７に送信する（Ｓ５４）。なお、対象者６ａが通信端末装置を所有する場合、この通津端にも面談実施者が決定したことを通信によって報告してもよい。
【００６１】
また、面談実施者選定部３１は、「夏田厚」に対し、対象者６ａの面談を依頼するための情報を通信端末装置５に送信する（Ｓ５５）。
なお、ステップＳ５２において、該当者がないと判断された場合（Ｓ５２：Ｎｏ）、面談実施者選定部３１は、システム管理者の通信端末装置３等に該当者がないことを通知して処理を終了する（Ｓ５６）。通知を受けたシステム管理者は、所定の範囲を変更する等の対処をする。
次に、自動的に対象者と面識のある可能性の高い面談実施候補者４を候補から自動的に除く条件マッチングについて説明する。図７は、自動的な条件マッチングを説明するためのフローチャートである。
【００６２】
自動的な条件マッチングをする場合、条件マッチング部３２は、対象者の住所を含む所定の範囲に居住する面談実施候補者４のデータを登録ＤＢ３５から抽出する（Ｓ７１）。そして、抽出された面談実施候補者４をナンバリングし（Ｓ７２）、ｎ番目の面談実施候補者４について性別が対象者６ａの性別と同じであるか否か判断する（Ｓ７３）。この判断において、性別が同一であれば、この面談実施候補者４による面談に抵抗を感じる要素ではないとしてポイント１を加算する（Ｓ８０）。なお、異性であれば（Ｓ７３：Ｎｏ）、異性に自身の生活習慣を相談することに抵抗がある可能性があるとしてポイントは加算されない。
【００６３】
次に、条件マッチング部３２は、ｎ番目の面談実施候補者４について年齢が対象者６ａの年齢と１０歳以上離れているか否か判断する（Ｓ７４）。１０歳以上離れていれば、ｎ番目の面談実施候補者４と対象者６ａとの間に面識がある可能性が低いとしてポイント１を加算する（Ｓ８１）。なお、年齢の差が１０歳以下であれば（Ｓ７４：Ｎｏ）、両者に面識がある可能性が高まる。このため、知り合いに自身の生活習慣を相談することに抵抗がある可能性があるとしてポイントは加算されない。
【００６４】
次に、条件マッチング部３２は、ｎ番目の面談実施候補者４について面談実施候補者４の居住地と対象者６ａの住所とが５００ｍ以上離れているか否か判断する（Ｓ７５）。５００ｍ以上離れていれば、ｎ番目の面談実施候補者４と対象者６ａとの間に面識がある可能性が低いとしてポイント１を加算する（Ｓ８２）。なお、両者の住所あるいは居所が５００ｍ以下の距離にあれば（Ｓ７５：Ｎｏ）、両者に面識がある可能性が高まる。このため、知り合いに自身の生活習慣を相談することに抵抗がある可能性があるとしてポイントは加算されない。
【００６５】
以上の処理の後、条件マッチング部３２は、ｎ番目の面談実施候補者４のポイントが２以上あるか否か判断する（Ｓ７６）。ポイントが２以上あった場合（Ｓ７６：Ｙｅｓ）、ｎ番目の面談実施候補者４を対象者６ａの面談をする面談実施者の候補としてリストに挙げる（Ｓ７７）。一方、ポイントが２より少ない場合（Ｓ７６：Ｎｏ）、ｎ番目の面談実施候補者４を除外する（Ｓ８３）。
【００６６】
以上の処理の後、条件マッチング部３２は、面談実施候補者４に付されているナンバを１つ加算して加算後の値をｎに置き換える（Ｓ７８）。この処理により、ポイントをカウントするカウンタは全てリセットされるものとする。また、条件マッチング部３２は、加算後のナンバから抽出された面談実施候補者４の全てについて条件マッチングの処理が終了したか否か判断する（Ｓ７９）。処理が終了していない場合（Ｓ７９：Ｎｏ）、次の面談実施候補者４について条件マッチングし、条件マッチングが終了した場合には（Ｓ７９：Ｙｅｓ）、条件マッチングサブルーチンの処理を終了する。
【００６７】
以上の処理の後、面談実施者選定部３１は、面談実施候補者４のリストに残った面談実施候補者４を医療保険者あるいは対象者６ａに報告する（Ｓ５４）。なお、条件マッチングの結果、面談実施候補者４がいなくなった場合には、報告において条件マッチングに適合する面談実施候補者４がいなかったこと、各面談実施候補者４についての適合しなかった理由を報告するようにしてもよい。
【図面の簡単な説明】
【００６８】
【図１】本発明の一実施形態の面談設定システムを説明するための図である。
【図２】図１に示したサーバ装置のハードウェア構成を説明するための図である。
【図３】図１に示したサーバ装置のソフトウェア構成を説明するための図である。
【図４】図３に示した登録部において実行される面談設定の方法をコンピュータに実行させるためのプログラムを説明するためのフローチャートである。
【図５】図３に示した面談実施者選定部で実行される、面談実施者選定のための処理を説明するためのフローチャートである。
【図６】本発明の一実施形態の、面談実施候補者から対象者が面談実施者を選択する条件マッチングをする場合に提供される面談実施候補者のデータを例示した図である。
【図７】本発明の一実施形態の、自動的な条件マッチングを説明するためのフローチャートである。
【符号の説明】
【００６９】
２  サーバ装置、
３、５ａ、５ｂ、５ｃ、７  通信端末装置
２１  通信部
２３  メモリ
２４  面談実施候補者情報
２５  対象者情報
３１  面談実施者選定部
３２  条件マッチング部
３３  登録部
３４  面談実施候補者認定部
３９  通信制御部
３５  面談実施候補者ＤＢ
３６  要求者ＤＢ
３７  教育用ＤＢ
３８  対象者ＤＢ
【図１】
2008165330.tif 000003
【図２】
2008165330.tif 000004
【図３】
2008165330.tif 000005
【図４】
2008165330.tif 000006
【図５】
2008165330.tif 000007
【図６】
2008165330.tif 000008
【図７】
2008165330.tif 000009